(57)【要約】【課題】情報の追記録または書き換えが可能であり、かつ低価格である光記録媒体を実現する。【解決手段】本発明に係るハイブリッドディスク１０は、情報を読み出すことのみ可能なＲＯＭ層Ｌ１と、情報を追記録することが可能な又は情報を書き換えることが可能なＲＥ層Ｌ２とを備え、ＲＯＭ層Ｌ１に広告データが記録されている。ＲＯＭ層Ｌ１は、読み出し専用の記録層であるため、広告データがユーザによって消去されることがない。また、ＲＥ層Ｌ２は、情報の追記録又は情報の書き換えが可能であるので、ユーザは、ハイブリッドディスク１０を通常の書き換え可能光ディスクとして使用することができる。広告提供者がハイブリッドディスク１０のメーカーに広告宣伝費を提供するため、ハイブリッドディスク１０の価格を通常の書き換え可能光ディスクの価格よりも抑えることができる。【選択図】図２
2011170910.tif 000002
【特許請求の範囲】
【請求項１】
情報を読み出すことのみ可能な第１情報記録層と、情報を追記録することが可能な又は情報を書き換えることが可能な第２情報記録層とを備える光記録媒体であって、
第１情報記録層に広告データが記録されていることを特徴とする光記録媒体。
【請求項２】
第１情報記録層には、上記光記録媒体に対する記録および再生が可能な情報処理装置が上記広告データを再生するための広告データ再生アプリケーションプログラムが記録されていることを特徴とする請求項１に記載の光記録媒体。
【請求項３】
第１情報記録層には、上記光記録媒体に対する記録および再生が可能な情報処理装置が上記広告データの最新版である最新版広告データをネットワークから取得するための広告データ管理アプリケーションプログラムが記録されていることを特徴とする請求項１に記載の光記録媒体。
【請求項４】
情報を読み出すことのみ可能な第１情報記録層と、情報を追記録することが可能な又は情報を書き換えることが可能な第２情報記録層とを備え、第１情報記録層に広告データが記録されている光記録媒体に対する記録および再生が可能な情報処理装置であって、
上記広告データを再生するための広告データ再生手段を備えることを特徴とする情報処理装置。
【請求項５】
上記広告データ再生手段は、上記光記録媒体の挿入後、上記広告データ以外の通常データが再生されるまでの間に、上記広告データを再生することを特徴とする請求項４に記載の情報処理装置。
【請求項６】
上記広告データ再生手段は、上記広告データ以外の通常データの再生停止後に、上記広告データを再生することを特徴とする請求項４または５に記載の情報処理装置。
【請求項７】
上記広告データの最新版である最新版広告データをネットワークから取得する広告データ管理手段を備えることを特徴とする請求項４、５または６に記載の情報処理装置。
【請求項８】
上記広告データ管理手段は、取得した最新版広告データと第１情報記録層に記録されている広告データとの差分データを第２情報記録層に記録し、
上記広告データ再生手段は、第１情報記録層に記録されている広告データと上記差分データとをマージしたデータを再生することを特徴とする請求項７に記載の情報処理装置。
【請求項９】
上記広告データ管理手段は、取得した最新版広告データを第２情報記録層に記録することを特徴とする請求項７に記載の情報処理装置。
【請求項１０】
情報を読み出すことのみ可能な第１情報記録層と、情報を追記録することが可能な又は情報を書き換えることが可能な第２情報記録層とを備え、第１情報記録層に広告データが記録されている光記録媒体に対する再生方法であって、
上記光記録媒体に対する記録および再生が可能な情報処理装置に上記光記録媒体を挿入する挿入ステップと、
上記広告データ以外の通常データを再生する通常データ再生ステップとを有し、
上記挿入ステップと上記通常データ再生ステップとの間に、上記広告データを自動的に再生する広告データ再生ステップを有することを特徴とする再生方法。
【請求項１１】
情報を読み出すことのみ可能な第１情報記録層と、情報を追記録することが可能な又は情報を書き換えることが可能な第２情報記録層とを備え、第１情報記録層に広告データが記録されている光記録媒体に対する再生方法であって、
上記広告データ以外の通常データを再生する通常データ再生ステップと、
上記通常データの再生を停止する停止ステップとを有し、
上記停止ステップの後に、上記広告データを自動的に再生する広告データ再生ステップを有することを特徴とする再生方法。
【請求項１２】
請求項４〜９のいずれか１項に記載の情報処理装置の各手段として、コンピュータを動作させるプログラム。
【請求項１３】
請求項１２に記載のプログラムを記録したコンピュータ読み取り可能な記録媒体。
【発明の詳細な説明】
【技術分野】
【０００１】
本発明は、ユーザーデータを書き込み可能な光記録媒体に関し、特に、広告データが記録された光記録媒体に関する。
【背景技術】
【０００２】
従来、録画データなどを保存する媒体として、光ディスク（光記録媒体）が広く用いられていた。しかしながら、現在は、ハードディスクドライブ（ＨＤＤ）がデータの保存手段として用いられることが多く、光ディスクが用いられることは少なくなっている。この主な原因としては、第１にＨＤＤに比べて光ディスクは容量が小さいこと、第２に光ディスクが比較的高価であることが挙げられる。
【０００３】
一方、ＨＤＤへデータを保存した場合、ＨＤＤは持ち運びできない、使用頻度が高いため壊れやすい、データを誤って消去しやすい、といった問題が生じる。また、多くのアプリケーションプログラムをＨＤＤに保存すると、アプリケーションプログラムには、使用頻度は低いにも関わらず消去できないものが含まれているために、ＨＤＤの容量を有効利用することが難しい。
【０００４】
これに対し、使用頻度が低いアプリケーションプログラムは、光ディスクへ保存して必要な時だけ使用すれば効率的である。また、光ディスクの容量に関しても、例えば４層のブルーレイディスク（ＢＤ）の容量は１００ＧＢに達する。これは、アプリケーションプログラムや多数の動画データの保存に十分対応できる容量である。しかしながら、光ディスクの容量が大きくなるほど光ディスクの高価格化を招くため、上述のように、ユーザが光ディスクを利用しにくい状況となっている。
【０００５】
そこで、下記の特許文献１には、所定時間だけ広告映像を再生させるための広告データを記録した光ディスクが提案されている。この光ディスクを再生すると、所定時間だけ広告映像が表示され、これにより、光ディスクを広告媒体として利用することができる。広告提供者が光ディスクのメーカーに広告宣伝費を提供するため、光ディスクの低価格化を図ることができる。
【０００６】
また、光ディスクに記録された広告データが消去可能であると、宣伝効果を担保することができないため、広告データは消去不可であることが望ましい。そのため、特許文献１では、光ディスクにデータを追記録した後、光ディスクをファイナライズすることで、広告データを消去不可としている。
【先行技術文献】
【特許文献】
【０００７】
【特許文献１】特開２００７−２８０４５７号公報（２００７年１０月２５日公開）
【発明の概要】
【発明が解決しようとする課題】
【０００８】
しかしながら、広告データを消去不可とするために一旦光ディスクをファイナライズすると、光ディスクに対する追記録ができなくなる。このため、特許文献１に係る光ディスクは、ＤＶＤ−ＲＷやＢＤ−ＲＥ等の書き換え可能ディスクに比べ、利便性が劣るという問題がある。
【０００９】
本発明は、上記の問題点を解決するためになされたもので、その目的は、情報の追記録または書き換えが可能であり、かつ低価格である光記録媒体を実現することにある。
【課題を解決するための手段】
【００１０】
上記の課題を解決するために、本発明に係る光記録媒体は、情報を読み出すことのみ可能な第１情報記録層と、情報を追記録することが可能な又は情報を書き換えることが可能な第２情報記録層とを備える光記録媒体であって、第１情報記録層に広告データが記録されていることを特徴としている。
【００１１】
上記の構成によれば、広告データが第１情報記録層に記録されているので、ユーザは、広告データを再生可能な情報処理装置を用いることによって、広告情報を視聴することができる。さらに、第１情報記録層は、読み出し専用の記録層であるため、広告データがユーザによって消去されることがない。また、第２情報記録層は、情報の追記録又は情報の書き換えが可能であるので、ユーザは、光記録媒体をＤＶＤ−ＲＷやＢＤ−ＲＥのような書き換え可能光ディスクとして使用することができる。広告提供者が光記録媒体のメーカーに広告宣伝費を提供するため、光記録媒体の価格を通常の書き換え可能光ディスクの価格よりも抑えることができる。したがって、情報の追記録または書き換えが可能であり、かつ低価格である光記録媒体を実現することができる。
【００１２】
本発明に係る光記録媒体では、第１情報記録層には、上記光記録媒体に対する記録および再生が可能な情報処理装置が上記広告データを再生するための広告データ再生アプリケーションプログラムが記録されていることが好ましい。
【００１３】
上記の構成によれば、広告データ再生アプリケーションがインストールされていない情報処理装置であっても、第１情報記録層から広告データ再生アプリケーションプログラムを読み込んで実行することにより、広告データを再生可能となる。
【００１４】
本発明に係る光記録媒体では、第１情報記録層には、上記光記録媒体に対する記録および再生が可能な情報処理装置が上記広告データの最新版である最新版広告データをネットワークから取得するための広告データ管理アプリケーションプログラムが記録されていることが好ましい。
【００１５】
上記の構成によれば、最新版広告データがネットワークから取得されるので、ユーザは常に最新の広告情報を視聴することができる。
【００１６】
本発明に係る情報処理装置は、情報を読み出すことのみ可能な第１情報記録層と、情報を追記録することが可能な又は情報を書き換えることが可能な第２情報記録層とを備え、第１情報記録層に広告データが記録されている光記録媒体に対する記録および再生が可能な情報処理装置であって、上記広告データを再生するための広告データ再生手段を備えることを特徴としている。
【００１７】
上記の構成によれば、広告データ再生手段によって光記録媒体の第１情報記録層に記録されている広告データを再生することができるので、ユーザは、情報の追記録または書き換えが可能であり、かつ低価格である光記録媒体を利用できる。
【００１８】
本発明に係る情報処理装置では、上記広告データ再生手段は、上記光記録媒体の挿入後、上記広告データ以外の通常データが再生されるまでの間に、上記広告データを再生することが好ましい。
【００１９】
上記の構成によれば、ユーザが光記録媒体を挿入してから、通常データが再生されるまで待機している間に、広告データ再生手段が広告データを再生するので、より確実にユーザに広告情報を視聴させることができる。
【００２０】
本発明に係る情報処理装置では、上記広告データ再生手段は、上記広告データ以外の通常データの再生停止後に、上記広告データを再生することが好ましい。
【００２１】
上記の構成によれば、通常データの再生停止後に広告データが再生されるので、より確実にユーザに広告情報を視聴させることができる。
【００２２】
本発明に係る情報処理装置では、上記広告データの最新版である最新版広告データをネットワークから取得する広告データ管理手段を備えることが好ましい。
【００２３】
上記の構成によれば、最新版広告データがネットワークから取得されるので、ユーザは常に最新の広告情報を視聴することができる。
【００２４】
本発明に係る情報処理装置では、上記広告データ管理手段は、取得した最新版広告データと第１情報記録層に記録されている広告データとの差分データを第２情報記録層に記録し、上記広告データ再生手段は、第１情報記録層に記録されている広告データと上記差分データとをマージしたデータを再生することが好ましい。
【００２５】
上記の構成によれば、広告データ再生手段は、第１情報記録層に記録されている広告データと差分データとをマージして最新版広告データを作成し、最新版広告データを再生する。これにより、ユーザは最新の広告情報を視聴することができる。また、第２情報記録層には、差分データが記録されるので、最新版広告データを第２情報記録層に記録する場合に比べ、通常データの記録領域をより多く確保することができる。
【００２６】
本発明に係る情報処理装置では、上記広告データ管理手段は、取得した最新版広告データを第２情報記録層に記録することが好ましい。
【００２７】
上記の構成によれば、広告データ再生手段は、最新版広告データを再生する際に、差分データと第１情報記録層に記録されている広告データとをマージする必要がない。そのため、広告データ再生手段は、より早く最新版広告データの再生を開始することができる。
【００２８】
本発明に係る再生方法は、情報を読み出すことのみ可能な第１情報記録層と、情報を追記録することが可能な又は情報を書き換えることが可能な第２情報記録層とを備え、第１情報記録層に広告データが記録されている光記録媒体に対する再生方法であって、上記光記録媒体に対する記録および再生が可能な情報処理装置に上記光記録媒体を挿入する挿入ステップと、上記広告データ以外の通常データを再生する通常データ再生ステップとを有し、上記挿入ステップと上記通常データ再生ステップとの間に、上記広告データを自動的に再生する広告データ再生ステップを有することを特徴としている。
【００２９】
上記の構成によれば、ユーザが光記録媒体を挿入してから、通常データが再生されるまで待機している間に、広告データが自動的に再生されるので、より確実にユーザに広告情報を視聴させることができる。
【００３０】
本発明に係る再生方法は、情報を読み出すことのみ可能な第１情報記録層と、情報を追記録することが可能な又は情報を書き換えることが可能な第２情報記録層とを備え、第１情報記録層に広告データが記録されている光記録媒体に対する再生方法であって、上記広告データ以外の通常データを再生する通常データ再生ステップと、上記通常データの再生を停止する停止ステップとを有し、上記停止ステップの後に、上記広告データを自動的に再生する広告データ再生ステップを有することを特徴としている。
【００３１】
上記の構成によれば、通常データの再生停止後に広告データが自動的に再生されるので、より確実にユーザに広告情報を視聴させることができる。
【００３２】
本発明に係るプログラムは、上記の情報処理装置の各手段として、コンピュータを動作させるプログラムである。また、当該プログラムは、コンピュータ読み取り可能な記録媒体に記録される。
【発明の効果】
【００３３】
以上のように、本発明に係る光記録媒体は、情報を読み出すことのみ可能な第１情報記録層と、情報を追記録することが可能な又は情報を書き換えることが可能な第２情報記録層とを備える光記録媒体であって、第１情報記録層に広告データが記録されているので、情報の追記録または書き換えが可能であり、かつ低価格である光記録媒体を実現できるという効果を奏する。
【図面の簡単な説明】
【００３４】
【図１】本発明の実施形態に係る光ディスク装置の構成を示すブロック図である。
【図２】本発明の実施形態に係るハイブリッドディスクの構成を示す図である。
【図３】広告映像の表示態様の一例を示す図である。
【図４】カタログ映像の表示態様の一例を示す図である。
【図５】ハイブリッドディスクの挿入時における広告データ再生の手順を示すフローチャートである。
【図６】ユーザーデータの再生停止後における広告データ再生の手順を示すフローチャートである。
【図７】最新版広告データの取得手順を示すフローチャートである。
【発明を実施するための形態】
【００３５】
本発明の実施の一形態について図１〜図７に基づいて説明すれば以下のとおりである。
【００３６】
（光ディスク装置の構成）
図１は、本実施形態に係る光ディスク装置（情報処理装置）１の構成を示すブロック図である。光ディスク装置１は、本体２および表示装置３を備えている。本体２は、ドライブ装置４、画像処理部５、作業メモリ６、不揮発性メモリ７、ＨＤＭＩインターフェース（以下「ＨＤＭＩ／ＩＦ」）８およびＬＡＮインターフェース（以下「ＬＡＮ／ＩＦ」）９を備えている。表示装置３は、ＨＤＭＩ／ＩＦ８を介して本体２に接続されており、本体２から出力される映像・音声データに基づいて映像を表示する。表示装置３としては、例えば液晶ディスプレイが好適に用いられる。また、ＬＡＮ／ＩＦ９にはルーター１１が接続されており、これにより、本体２はルーター１１を介してネットワーク１２に接続される。
【００３７】
ドライブ装置４は、本体２に挿入されるハイブリッドディスク（光記録媒体）１０からの情報の読み出しや、ハイブリッドディスク１０への情報の記録を行う機能を有している。ドライブ装置４には、図示しない光ピックアップ装置が設けられており、光ピックアップ装置の光ヘッドからレーザビームをハイブリッドディスク１０のトラックに照射することによって、ハイブリッドディスク１０に対する情報の読み出しおよび記録が行われる。
【００３８】
図２に示すように、ハイブリッドディスク１０は、情報を読み出すことのみ可能なＲＯＭ層（第１情報記録層）Ｌ１と、情報を追記録することが可能な又は情報を書き換えることが可能なＲＥ層（第２情報記録層）Ｌ２とを備えている。ＲＯＭ層Ｌ１には、広告データ、広告データ再生アプリケーション（広告データ再生アプリケーションプログラム）および広告データ管理アプリケーション（広告データ管理アプリケーションプログラム）が記録されており、ＲＥ層Ｌ２には、録画データなどのユーザーデータおよび最新版広告データが記録されている。ＲＥ層Ｌ２は、情報の追記録および書き換えが可能な記録層であるため、ユーザは、ハイブリッドディスク１０をＤＶＤ−ＲＷやＢＤ−ＲＥなどの書き換え可能ディスクと同様に利用することができる。
【００３９】
ハイブリッドディスク１０の購入時において、ＲＥ層Ｌ２には、情報が記録されていなくてもよい。また、ハイブリッドディスク１０の購入時において、ＲＯＭ層Ｌ１に、予めコンテンツデータが記録されていてもよい。なお、ユーザーデータやコンテンツデータのような広告データ以外のデータを、通常データとする。
【００４０】
広告データは、例えば、映画の予告編映像、通信販売番組映像、あるいはテレビＣＭのような企業コマーシャル映像などの広告に係る映像データである。広告データは、読み出し専用の記録層であるＲＯＭ層Ｌ１に記録されているため、ユーザによって消去されることがなく、また、従来構成のようにハイブリッドディスク１０をファイナライズする必要がない。ＲＯＭ層Ｌ１は、プレス加工により形成可能であるので、ハイブリッドディスク１０の製造コストは、ＲＥ層のみを有するＢＤ−ＲＥの製造コストと大差ない。また、広告提供者がハイブリッドディスク１０のメーカーに広告宣伝費を提供するため、ハイブリッドディスク１０をＢＤ−ＲＥよりも低価格とすることができる。
【００４１】
画像処理部５は、ハイブリッドディスク１０に記録されたアプリケーションプログラムを実行したり、通常データを再生する機能を有する機能ブロックである。また、作業メモリ６は、画像処理部５が処理するデータを展開するための領域であり、ＤＲＡＭ等で構成される。例えば、ユーザーデータ再生の操作が行われると、画像処理部５は、ハイブリッドディスク１０からユーザーデータを作業メモリ６に読み出して、表示装置３に出力するための映像・音声データを生成する。不揮発性メモリ７は、ＦＬＡＳＨ等で構成される外付けの記憶媒体である。
【００４２】
また、画像処理部５は、広告データ再生部５１および広告データ管理部５２を有している。広告データ再生部５１は、ハイブリッドディスク１０のＲＯＭ層Ｌ１に記録されている広告データを再生する機能を有する機能ブロックであり、ハイブリッドディスク１０のＲＯＭ層Ｌ１に記録されている広告データ再生アプリケーションを作業メモリ６に読み出して実行することにより実現される。換言すると、広告データ再生アプリケーションは、光ディスク装置１を広告データ再生部５１として動作させるプログラムである。より確実に広告映像がユーザに視聴されるように、広告データ再生部５１は、ディスク挿入時やユーザーデータ再生停止時などの所定のタイミングで広告データを自動的に再生する。なお、広告データ再生部５１は、特許請求の範囲に記載の広告データ再生手段に相当する。
【００４３】
広告データ管理部５２は、表示装置３に表示される広告情報が最新の情報となるように管理する機能ブロックであり、ハイブリッドディスク１０のＲＯＭ層Ｌ１に記録されている広告データ管理アプリケーションを作業メモリ６に読み出して実行することにより実現される。換言すると、広告データ管理アプリケーションは、光ディスク装置１を広告データ管理部５２として動作させるプログラムである。具体的には、広告データ管理部５２は、ネットワーク１２から最新版広告データをダウンロードして、最新版広告データとＲＯＭ層Ｌ１に記録されている広告データとの差分である広告差分データをＲＥ層Ｌ２に格納する。なお、広告データ管理部５２は、特許請求の範囲に記載の広告データ管理手段に相当する。
【００４４】
（広告映像）
続いて、表示装置３に表示される広告映像の表示態様について説明する。
【００４５】
図３は、広告映像の表示態様の一例を示す図である。同図では、画面右下の領域Ｒ１を除く画面領域に広告映像が表示され、領域Ｒ１には、ハイブリッドディスク１０のユーザーデータやコンテンツデータの読み込み状態が表示される。これにより、ユーザは、広告映像を視聴しながらユーザーデータやコンテンツデータの読み込み状態を把握することができる。広告映像は、動画であっても静止画像であってもよい。
【００４６】
また、広告映像は、通信販売カタログ等を表示したカタログ映像であってもよい。図４は、カタログ映像の表示態様の一例を示す図である。図４（ａ）に示すように、画面の主領域であるメイン画面Ｒ２の右側および下側に複数の選択用領域Ｒ３が配列されている。各選択用領域Ｒ３には、カタログ商品の名前や縮小画像などが表示されている。選択用領域Ｒ３のいずれかがユーザによって選択されると、図４（ｂ）に示すように、選択された商品の画像、商品情報（生産者、値段など）、商品に関する問合せ先などの詳細情報がメイン画面Ｒ２に表示される。
【００４７】
また、表示装置３が分割表示可能なディスプレイであれば、広告映像を、通常データの再生映像とともに表示してもよい。また、広告データは、広告情報を示すコメントデータであってもよく、コメントを通常データの再生映像とともにテロップで表示してもよい。
【００４８】
（広告データの再生方法）
続いて、広告データの再生手順について、図５および図６を参照して説明する。本実施形態において、広告データは、ハイブリッドディスク１０の挿入時、およびユーザーデータの再生停止後に自動的に再生される。
【００４９】
図５は、ハイブリッドディスク１０の挿入時における広告データ再生の手順を示すフローチャートである。ハイブリッドディスク１０を本体２に挿入すると（ステップＳ１、挿入ステップ）、ドライブ装置４は、ＲＥ層Ｌ２のデータを読み込む前に、ＲＯＭ層Ｌ１に記録されている広告データ再生アプリケーションおよび広告データ管理アプリケーションを作業メモリ６へ読み込む（ステップＳ２）。これにより、図１に示す広告データ再生部５１および広告データ管理部５２が形成される。続いて、広告データ再生部５１は、ハイブリッドディスク１０のＲＯＭ層Ｌ１にアクセスして、ＲＯＭ層Ｌ１に広告データが記録されているか確認する（ステップＳ３）。
【００５０】
ＲＯＭ層Ｌ１に広告データが記録されている場合（ステップＳ３においてＹＥＳ）、広告データ再生部５１は、ＲＯＭ層Ｌ１の広告データを作業メモリ６へ読み込む（ステップＳ４）。さらに、広告データ再生部５１は、ハイブリッドディスク１０のＲＥ層Ｌ２にアクセスして、ＲＥ層Ｌ２に広告差分データが記録されているか確認する（ステップＳ５）。ＲＥ層Ｌ２に広告差分データが記録されている場合（ステップＳ５においてＹＥＳ）、広告データ再生部５１は、広告差分データを作業メモリ６へ読み込み（ステップＳ６）、作業メモリ６に読み込まれている広告データに広告差分データをマージして、作業メモリ６上に最新版の広告データを作成する（ステップＳ７）。続いて、広告データ再生部５１は、作業メモリ６から広告データの再生を自動的に開始する（ステップＳ８、広告データ再生ステップ）。なお、ＲＥ層Ｌ２に広告差分データが記録されていない場合（ステップＳ５においてＮＯ）、ステップＳ６およびＳ７はスキップされ、作業メモリ６の広告データは変更されない。
【００５１】
広告データの再生が開始されると、ＲＥ層Ｌ２のユーザーデータの読み込み（ローディング）が開始される（ステップＳ９）。ここで、ＲＯＭ層Ｌ１にコンテンツデータが記録されている場合、ステップＳ９において、コンテンツデータのローディングを行ってもよい。所定時間経過後、広告データの再生が終了すると（ステップＳ１０）、ユーザデータの再生が開始される（ステップＳ１１、通常データ再生ステップ）。なお、ステップＳ３において、ＲＯＭ層Ｌ１に広告データが記録されていない場合、ステップＳ５〜Ｓ８がスキップされて、ＲＥ層Ｌ２のユーザーデータのローディング（ステップＳ１２）およびユーザデータ再生（ステップＳ１１）が行われる。このように、ハイブリッドディスク１０の挿入後、ユーザーデータが再生されるまでの間に、広告データが自動的に再生されるので、より確実に広告データをユーザに視聴させることができる。
【００５２】
なお、ハイブリッドディスク１０に、ユーザーデータやコンテンツデータなどの通常データが記録されていない場合、ハイブリッドディスク１０が挿入されてＲＯＭ層Ｌ１およびＲＥ層Ｌ２が読み込まれた後に、画面に「再生データがありません」等のコメントが表示される。この場合、広告データ再生部５１は、ハイブリッドディスク１０の挿入後、上記のコメントが表示されるまでの間、広告データを再生してもよく、あるいは、上記コメント表示後もコメントとともに広告データの再生を継続してもよい。
【００５３】
図６は、ユーザーデータの再生停止後における広告データ再生の手順を示すフローチャートである。ユーザーデータを再生している状態において、ユーザの操作等によりユーザーデータの再生が停止されると（ステップＳ２１、停止ステップ）、広告データ再生部５１は、作業メモリ６に広告データが読み込まれているか確認する（ステップＳ２２）。
【００５４】
作業メモリ６に広告データが読み込まれている場合（ステップＳ２２においてＹＥＳ）、広告データ再生部５１は、広告データを自動的に再生し（ステップＳ２３）、所定時間後、広告データの再生を停止する（ステップＳ２４）。なお、作業メモリ６に広告データが読み込まれていない場合（ステップＳ２２においてＮＯ）、ステップＳ２３およびＳ２４は、スキップされる。
【００５５】
このように、ユーザーデータなどの通常データの再生停止時に、広告データが自動的に再生されるので、より確実に広告データをユーザに視聴させることができる。なお、広告データを再生するタイミングは、上記のタイミングに限定されない。特に、広告映像の表示領域が小さい場合や、広告がコメント情報である場合は、通常データの再生時に広告データを再生してもよい。
【００５６】
（最新版広告データの取得）
続いて、最新版広告データの取得手順について、図７を参照して説明する。
【００５７】
まず、ユーザーデータなどの通常データの再生中において、広告データ管理部５２が、ネットワーク１２にアクセスして、作業メモリ６上の広告データについてネットワーク１２上で最新版を検索し（ステップＳ３１）、ネットワーク１２上に広告データの最新版があるか確認する（ステップＳ３２）。この検索は、ユーザーデータの再生時における所定の周期で行ってもよく、ユーザーデータの再生開始時のみ行ってもよい。
【００５８】
広告データの最新版がある場合（ステップＳ３２においてＹＥＳ）、広告データ管理部５２は、最新版広告データを作業メモリ６に保存する（ステップＳ３３）。続いて、ユーザーデータおよび広告データ等のすべてのデータの再生が停止すると（ステップＳ３４においてＹＥＳ）、広告データ管理部５２は、新たに取得した最新版広告データとハイブリッドディスク１０のＲＯＭ層Ｌ１の広告データとの差分データを作成する（ステップＳ３５）。その後、広告データ管理部５２は、作成した広告差分データをハイブリッドディスク１０のＲＥ層Ｌ２に格納する（ステップＳ３６）。
【００５９】
ＲＥ層Ｌ２に格納された広告差分データは、図５のフローチャートにおけるステップＳ６およびＳ７に示すように、最新版の広告データを作成するために用いられる。これにより、視聴される広告情報を、常に最新のものとすることができる。
【００６０】
なお、広告差分データを作成することなく、取得した最新版広告データをハイブリッドディスク１０のＲＥ層Ｌ２に格納してもよい。この場合、広告データ再生部５１は、最新版広告データを再生する際に、差分データとＲＯＭ層Ｌ１に記録されている広告データとをマージして最新版広告データを作成する必要がないため、より早く最新版広告データの再生を開始することができる。
【００６１】
なお、最新版広告データは、広告差分データよりもデータサイズが大きい。そのため、最新版広告データをＲＥ層Ｌ２に記録する場合に比べ、広告差分データをＲＥ層Ｌ２に格納するほうが、ＲＥ層Ｌ２においてユーザーデータを記録するための領域をより多く確保することができる。
【００６２】
また、広告差分データまたは最新版広告データを、本体２のＨＤＤや不揮発性メモリ７などのＲＥ層Ｌ２以外の記録媒体に格納してもよい。この場合、図５のフローチャートにおけるステップＳ５では、広告データ再生部５１は、広告差分データが格納された記録媒体にアクセスする。
【００６３】
（付記事項）
上述した実施形態では、図１に示す光ディスク装置１の広告データ再生部５１および広告データ管理部５２を実現するための広告データ再生アプリケーションおよび広告データ管理アプリケーション（以下、これらのアプリケーションプログラムを「広告関連プログラム」とする）が、ハイブリッドディスク１０のＲＯＭ層Ｌ１に記録されていた。これに対し、広告関連プログラムは、ハイブリッドディスク１０の挿入前にあらかじめ光ディスク装置１にインストールされていてもよい。
【００６４】
すなわち、光ディスク装置１は、広告関連プログラムの命令を実行するＣＰＵ（ｃｅｎｔｒａｌ ｐｒｏｃｅｓｓｉｎｇ ｕｎｉｔ）、上記広告関連プログラムを格納したＲＯＭ（ｒｅａｄ ｏｎｌｙ ｍｅｍｏｒｙ）、上記広告関連プログラムを展開するＲＡＭ（ｒａｎｄｏｍ ａｃｃｅｓｓ ｍｅｍｏｒｙ）、上記広告関連プログラムおよび各種データを格納するメモリ等の記憶装置（記録媒体）などを備えている。そして、本発明の目的は、上記広告関連プログラムのプログラムコード（実行形式プログラム、中間コードプログラム、ソースプログラム）をコンピュータで読み取り可能に記録した記録媒体を、光ディスク装置１に供給し、そのコンピュータ（またはＣＰＵやＭＰＵ）が記録媒体に記録されているプログラムコードを読み出して実行することによっても、達成可能である。
【００６５】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ／ＢＤ−ＲＯＭ／ＢＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００６６】
また、光ディスク装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（ｖｉｒｔｕａｌ ｐｒｉｖａｔｅ ｎｅｔｗｏｒｋ）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００６７】
なお、光ディスク装置１の広告データ再生部５１および広告データ管理部５２は、ハードウェアロジックによって構成してもよい。
【００６８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００６９】
本発明は、ユーザーデータを書き込み可能な光記録媒体に好適である。
【符号の説明】
【００７０】
１  光ディスク装置（情報処理装置）
２  本体
３  表示装置
４  ドライブ装置
５  画像処理部
６  作業メモリ
７  不揮発性メモリ
８  ＨＤＭＩインターフェース
９  ＬＡＮインターフェース
１０  ハイブリッドディスク（光記録媒体）
１１  ルーター
１２  ネットワーク
５１  広告データ再生部（広告データ再生手段）
５２  広告データ管理部（広告データ管理手段）
Ｌ１  ＲＯＭ層（第１情報記録層）
Ｌ２  ＲＥ層（第２情報記録層）
【図１】
2011170910.tif 000003
【図２】
2011170910.tif 000004
【図３】
2011170910.tif 000005
【図４】
2011170910.tif 000006
【図５】
2011170910.tif 000007
【図６】
2011170910.tif 000008
【図７】
2011170910.tif 000009